(57)【要約】  移動局は、低減された電力状態にあるときに、該移動局が最新の隣接セル情報を有しているかを決定する。該移動局が最新の隣接セル情報を有していないと決定したことに応答して、該移動局は、隣接セルを特定するメッセージを該移動局が受信することができるように、低減された電力状態から、より高い電力状態へと遷移する。
2013502168.tif 000002
【特許請求の範囲】
【請求項１】
移動局が低電力状態にあるときに、該移動局が、該移動局が最新の隣接セル情報を有しているかを決定するステップ；
前記移動局が最新の隣接セル情報を有していないと決定したことに応答して、前記移動局を前記低電力状態から高電力状態に遷移させるステップ；及び
前記移動局が前記高電力状態にあるときに、前記移動局が、隣接セルを特定するメッセージを受信するステップ；
を有する方法。
【請求項２】
前記移動局は、第１の無線技術に従った無線アクセスネットワークに接続されており、前記メッセージは、第２の、異なる、無線技術に従った隣接セルを特定する、請求項１に記載の方法。
【請求項３】
前記第２の無線技術はＥＵＴＲＡ（Evolved  Universal  Terrestrial  Radio  Access）技術である、請求項２に記載の方法。
【請求項４】
前記第１の無線技術は第３世代（３Ｇ）無線技術である、請求項３に記載の方法。
【請求項５】
前記移動局が、アクセスネットワークが前記メッセージを次に送信する時点を計算するステップ、を更に有し、
前記移動局を前記低電力状態から前記高電力状態に遷移させるステップは、前記計算された時点に基づく時に行われる、
請求項１に記載の方法。
【請求項６】
少なくとも１つのフィールドであり、該フィールドから前記移動局が前記計算された時点を計算する少なくとも１つのフィールド、を含む設定メッセージを、前記移動局が前記アクセスネットワークから受信するステップ、
を更に有する請求項５に記載の方法。
【請求項７】
前記設定メッセージはQuickConfigメッセージである、請求項６に記載の方法。
【請求項８】
前記設定メッセージは更に、異なるアクセス技術の隣接セルを特定するメッセージを前記アクセスネットワークが送信するか否かを指し示す別のフィールドを含む、請求項６に記載の方法。
【請求項９】
ワイヤレスに通信する無線インタフェース；及び
少なくとも１つのプロセッサ；
を有する基地局であって：
前記少なくとも１つのプロセッサは：
前記基地局の無線技術とは異なる無線技術の隣接セルを特定するメッセージの送信を前記基地局がサポートしていることを指し示すインジケーション、を含む設定メッセージを、移動局に送信し；且つ
前記異なる無線技術の隣接セルを特定する前記メッセージを前記移動局に送信する；
ように構成されている、
基地局。
【請求項１０】
前記設定メッセージは更に、前記メッセージの送信タイミングを指し示すタイミングフィールドを含む、請求項９に記載の基地局。
【請求項１１】
前記タイミングフィールドは前記メッセージの送信頻度を指し示す、請求項１０に記載の基地局。
【請求項１２】
前記設定メッセージは、次に送信される前記メッセージの内容を指し示す署名フィールドを含み、前記署名フィールドは、前記移動局における隣接セル情報が最新のものでないかを前記移動局が決定することを可能にする、請求項９に記載の基地局。
【請求項１３】
命令を格納した少なくとも１つの機械読み取り可能記憶媒体を有する物品であって、前記命令は実行時に移動局に：
前記移動局が低電力状態にあるときに、前記移動局が最新の隣接セル情報を有しているかを決定させ；
前記移動局が最新の隣接セル情報を有していないと決定したことに応答して、前記低電力状態から高電力状態に遷移させ；且つ
前記移動局が前記高電力状態にあるときに、隣接セルを特定するメッセージを受信させる；
物品。
【請求項１４】
前記移動局は、第１の無線技術に従った無線アクセスネットワークに接続されており、前記メッセージは、第２の、異なる、無線技術に従った隣接セルを特定する、請求項１３に記載の物品。
【請求項１５】
前記第２の無線技術はＥＵＴＲＡ（Evolved  Universal  Terrestrial  Radio  Access）技術である、請求項１４に記載の物品。
【請求項１６】
前記第１の無線技術は第３世代（３Ｇ）無線技術である、請求項１５に記載の物品。
【請求項１７】
前記命令は実行時に前記移動局に更に：
アクセスネットワークが前記メッセージを次に送信する時点を計算させ、
前記移動局に前記低電力状態から前記高電力状態に遷移させることは、前記計算された時点に基づく時に行われる、
請求項１３に記載の物品。
【請求項１８】
前記命令は実行時に前記移動局に更に：
少なくとも１つのフィールドであり、該フィールドから前記移動局が前記計算された時点を計算する少なくとも１つのフィールド、を含む設定メッセージを、前記アクセスネットワークから受信させる、
請求項１７に記載の物品。
【請求項１９】
前記設定メッセージは署名フィールドを含み、前記命令は実行時に前記移動局に更に：
前記署名フィールドを用いて、前記隣接セル情報が最新のものでないかを決定させる、
請求項１８に記載の物品。
【請求項２０】
前記設定メッセージは更に、異なるアクセス技術の隣接セルを特定するメッセージを前記アクセスネットワークが送信するか否かを指し示す別のフィールドを含む、請求項１８に記載の物品。
【発明の詳細な説明】
【技術分野】
【０００１】
本出願は、隣接セルを特定するメッセージを受信することに関する。
【背景技術】
【０００２】
移動局が、その他の移動局、又は有線ネットワークに結合された有線端末との通信を行うことを可能にするため、様々な無線アクセス技術が提案あるいは実現されてきた。無線アクセス技術の例は、３ＧＰＰ（Third  Generation  Partnership  Project）によって規定された、ＧＳＭ（Global  System  for  Mobile  Communications）及びＵＭＴＳ（Universal  Mobile  Telecommunications  System）技術；並びに３ＧＰＰ２によって規定されたＣＤＭＡ２０００（Code  Division  Multiple  Access  2000）技術を含む。ＣＤＭＡ２０００は、ＨＲＰＤ（High  Rate  Packet  Data）無線アクセスネットワークと称されるパケット交換無線アクセスネットワークの一型式を規定している。
【０００３】
パケット交換無線アクセスネットワークを提供する、別の、より最近の規格は、３ＧＰＰからのＬＴＥ（Long  Term  Evolution）規格であり、これはＵＭＴＳ技術を増強しようとするものである。ＬＴＥ規格は、ＥＵＴＲＡ（Evolved  Universal  Terrestrial  Radio  Access）規格とも呼ばれている。ＥＵＴＲＡ技術は、高度サービスを提供するために無線通信事業者が移行しつつある第４世代（４Ｇ）技術であると見なされている。別の、その他の、４Ｇ無線技術は、ＩＥＥＥ８０２．１６によって規定されたＷｉＭＡＸ（Worldwide  Interoperability  for  Microwave  Access）である。
【発明の概要】
【発明が解決しようとする課題】
【０００４】
隣接セルを特定するメッセージを受信することに関する技術を開示する。
【課題を解決するための手段】
【０００５】
概して、移動局は、低減された電力状態にあるときに、該移動局が最新の隣接セル情報を有しているかを決定する。移動局は、該移動局が最新の隣接セル情報を有していないと決定したことに応答して、隣接セルを特定するメッセージを該移動局が受信することができるように、低減された電力状態から、より高い電力状態へと遷移する。
【０００６】
以下の説明、図面及び特許請求の範囲から、その他あるいは代わりの特徴が明らかになる。
【図面の簡単な説明】
【０００７】
以下の図に関して幾つかの実施形態を説明する。
【図１】一部の実施形態を組み入れた移動体通信ネットワークの一構成例を示す図である。
【図２】一部の実施形態に従って実行されるプロセスのメッセージフロー図である。
【図３】一部の例に係る無線局のブロック図である。
【発明を実施するための形態】
【０００８】
無線通信事業者は第４世代（４Ｇ）無線ネットワークに移行しつつある。１つのそのような種類の４Ｇ無線ネットワークは、３ＧＰＰ（Third  Generation  Partnership  Project）によって規定されたＬＴＥ（Long  Term  Evolution）無線ネットワークである。ＬＴＥ規格は、ＥＵＴＲＡ（Evolved  Universal  Terrestrial  Radio  Access）規格とも呼ばれている。別の、その他の、４Ｇ無線技術は、ＩＥＥＥ８０２．１６によって規定されたＷｉＭＡＸ（Worldwide  Interoperability  for  Microwave  Access）である。
【０００９】
上記移行の部分として、無線通信事業者は、相異なる技術の複数のアクセスネットワークを配備して、移動局が相異なる技術のアクセスネットワークの何れか又は双方を用いてシームレスに動作することが可能であるようにし得る。例えば、移動局は第１の技術のアクセスネットワークから第２の異なる技術のアクセスネットワークへとハンドオフされることができる。他の例では、移動局は、相異なる技術の複数のアクセスネットワークの中で最初に起動するとき、セル選択を実行することができる。一部の例において、無線通信事業者は、ＨＲＰＤ（High  Rate  Packet  Data）アクセスネットワーク及びＥＵＴＲＡアクセスネットワークの双方を稼働させることができる。ＨＲＰＤは、３ＧＰＰ２によって制定されたＣＤＭＡ（Code  Division  Multiple  Access）２０００規格によって定められたものである。
【００１０】
ＨＲＰＤは第３世代（３Ｇ）無線技術の一例である。３Ｇ無線技術の他の一例は、３ＧＰＰによって規定されたＵＭＴＳ（Universal  Mobile  Telecommunications  System）技術である。３Ｇ無線技術の更なる他の一例は、３ＧＰＰによって規定されたＥＤＧＥ（Enhanced  Data  Rates  for  GSM  Evolution）技術である。
【００１１】
他の例においては、他の無線プロトコルが使用され得る。以下の説明においては、ＨＲＰＤ技術とＥＵＴＲＡ技術とを採用した実装例を参照することとする。なお、他の実装例においては、他の技術の組み合わせが採用され得る。
【００１２】
一部の実装例において、ＨＲＰＤからＥＵＴＲＡへの移行は、ｅＨＲＰＤ（evolved  HRPD）技術の使用を伴う。ｅＨＲＰＤ無線アクセスネットワークは、ＥＵＴＲＡ無線アクセスネットワークとインターワークすることが可能である。ｅＨＲＰＤ技術に対応した移動局は、ｅＨＲＰＤアクセスネットワークとＥＵＴＲＡアクセスネットワークとの間でハンドオフされることができる。また、ｅＨＲＰＤに対応した移動局は、ＥＵＴＲＡアクセスネットワーク又はｅＨＲＰＤアクセスネットワークの何れか上でセルの再選択を実行することができる。
【００１３】
ネットワークは、故に、ＨＲＰＤセル及びＥＵＴＲＡセルの双方を含むことができ、ＨＲＰＤセルはＨＲＰＤアクセスネットワーク又はｅＨＲＰＤアクセスネットワークの何れかを含み、ＥＵＴＲＡセルはＥＵＴＲＡアクセスネットワークを含む。ＨＲＰＤセルの一部はＥＵＴＲＡセルを重なり得る。“セル”は、１つのセル全体、１つのセルセクター、又は１つのセルのその他のセグメントを意味し得る。
【００１４】
一部の実施形態によれば、移動局がＨＲＰＤアクセスネットワークに接続されているときに、該移動局がＥＵＴＲＡセルに関する情報を効率的に受信するために従うべき手順を定める技術又は機構が提供される。より一般的には、第１の技術に従った無線アクセスネットワークに接続されている移動局が、第２の異なる無線技術に従った隣接セルのリストを含んだメッセージを受信すること、を可能にする技術又は機構が提供される。
【００１５】
一部の実装例によれば、ＨＲＰＤアクセスネットワークから移動局に設定（コンフィギュレーション）メッセージを送信することができ、該設定メッセージは、該ＨＲＰＤアクセスネットワークがOtherRATNeighborListメッセージを送信することをサポートしているか否かを指し示すフィールドを含む。OtherRATNeighborListメッセージとは、ＨＲＰＤ以外のアクセス技術を用いる隣接セルのリストを含んだメッセージである。より一般的には、OtherRATNeighborListメッセージは、その移動局が現在接続されているアクセスネットワークのアクセス技術とは異なるアクセス技術を用いる隣接セルのリストを含む。この説明においては特定のメッセージ名称（例えば、“OtherRATNeighborListメッセージ”）を参照しているが、他の例では異なる名称のメッセージが使用され得る。
【００１６】
OtherRATNeighborListメッセージは様々なフィールドを含んでおり、それらの一部を以下にて説明する。OtherRATNeighborListメッセージには署名フィールド（OtherRATSignatureフィールドと呼ばれる）を含めることができる。OtherRATSignatureフィールドは、OtherRATNeighborListメッセージの内容が変わる場合にアクセスネットワークによって変更される。署名フィールドにおける変更は、移動局に、異なるアクセス技術の隣接セルのリストが変化した可能性があるので、該移動局がOtherRATNeighborListメッセージの次の送信を監視すべきであることを指し示す。
【００１７】
OtherRATNeighborListメッセージはまた、当該OtherRATNeighborListメッセージによって特定された隣接セルにより使用される無線アクセス技術の種類を指し示すフィールドを含むことができる。OtherRATNeighborListメッセージはまた、その他のフィールドも含み得る。
【００１８】
ＨＲＰＤアクセスネットワークによって移動局に送信される設定メッセージは、QuickConfigメッセージとすることができる。ＨＲＰＤアクセスネットワークがOtherRATNeighborListメッセージの送信をサポートしていることのインジケーションに加えて、QuickConfigメッセージはまた、例えばOtherRATNeighborListメッセージの送信タイミングに関する情報を含むタイミングフィールドなど、その他のフィールドを含むことができる。例えば、タイミングフィールドは、OtherRATNeighborListメッセージの送信サイクル（例えば、Ｎは１以上として、OtherRATNeighborListメッセージはＮ制御チャネルサイクルごとにアクセスネットワークによって送信され得る）を指定することができる。タイミングフィールドは、次のOtherRATNeighborListメッセージがＨＲＰＤアクセスネットワークによって送信されるのが何時（いつ）であるかを決定するために移動局によって使用されることができ、その結果、移動局は該次のOtherRATNeighborListメッセージを適時に監視することができる。
【００１９】
QuickConfigメッセージ内とし得る別のフィールドは署名フィールド（例えば、OtherRATSignatureフィールド）であり、これは、アクセスネットワークが送信する次のOtherRATNeighborListメッセージの署名を移動局に指し示すためにアクセスネットワークによって送信される。
【００２０】
QuickConfigメッセージを受信することに基づき、移動局は、OtherRATNeighborListメッセージの送信がサポートされているか、及びアクセスネットワークがどのような頻度（指定された時間間隔に関する）でOtherRATNeighborListメッセージを送信しているかを決定することができる。QuickConfigメッセージ内の情報に基づいて、移動局は、１つ以上の条件が満たされる場合に、次のOtherRATNeighborListメッセージを監視することが可能である。例えば、移動局は、すぐ前のOtherRATNeighborListメッセージの署名フィールド（例えば、OtherRATSignatureフィールド）と異なる署名フィールド（例えば、OtherRATSignatureフィールド）を有するQuickConfigメッセージを受信したことなどに基づいて、隣接セル情報が最新でないと決定した場合、次のOtherRATNeighborListメッセージを監視することができる。移動局は、QuickConfigメッセージのOtherRATSignatureフィールドが、すぐ前に受信したOtherRATNeighborListメッセージのOtherRATSignatureフィールドと異なるかを比較することが可能である。
【００２１】
電力を節約するため、移動局は低電力状態（一部の例ではスリープ状態と称されることもある）に入り得る。概して、低電力状態において、移動局は、特定の構成要素を電力低減され、あるいは非動作にされる。一部の例では、低電力状態において、移動局はアクセスネットワークからの順方向チャネルを監視しない。また、アクセスネットワークが移動局にユニキャストパケットを送信することができなくされることもある。順方向チャネルの情報を受信するため、移動局は低電力状態から高電力状態（例えば、監視状態又はその他の高電力状態）へ移ることができる。高電力状態において、移動局は順方向制御チャネルを監視して、OtherRATNeighborListメッセージを含む特定の制御メッセージ群に耳を傾けることができる。
【００２２】
図１は、異なる複数の移動通信ネットワークを含む一構成例を示しており、ＥＵＴＲＡネットワーク１００及びＨＲＰＤネットワーク１０１を含んでいる。ＥＵＴＲＡ移動通信ネットワーク１００はＥＵＴＲＡアクセスネットワーク（ＥＵＴＲＡ  ＡＮ）１０２を含んでおり、ＨＲＰＤネットワーク１０１はＨＲＰＤアクセスネットワーク（ＨＲＰＤ  ＡＮ）１０４とｅＨＲＰＤアクセスネットワーク（ｅＨＲＰＤ  ＡＮ）１０６とを含んでいる。図１には１つのＥＵＴＲＡアクセスネットワーク１０２、１つのＨＲＰＤアクセスネットワーク１０４及び１つのｅＨＲＰＤアクセスネットワーク１０６のみが示されているが、典型的には、複数のＥＵＴＲＡアクセスネットワーク、複数のＨＲＰＤアクセスネットワーク及び複数のｅＨＲＰＤアクセスネットワークが存在し得る。ここでは、用語“アクセスネットワーク”又は“無線アクセスネットワーク”は、例えばパケットデータネットワーク１１６などのターゲットネットワーク上で提供されるサービスにアクセスするために、移動局が当該アクセスネットワークを介してワイヤレス接続することを可能にするために使用される設備を表す。
【００２３】
ＥＵＴＲＡ技術に従って、ＥＵＴＲＡアクセスネットワーク１０２は、一種の基地局であるエンハンスト・ノードＢ（ｅＮｏｄｅＢ）を含んでいる。ＨＲＰＤアクセスネットワーク１０４はＨＲＰＤ基地局（ＨＲＰＤ  ＢＳ）を含み、ｅＨＲＰＤアクセスネットワーク１０６はｅＨＲＰＤ基地局（ｅＨＲＰＤ  ＢＳ）を含んでいる。基地局は、無線リソース管理、移動局の移動性を管理するモビリティ管理、及びトラフィックのルーティングなどのタスクのうちの１つ以上を実行することができる。一般的に、用語“基地局”は、何らかのタイプの無線ネットワークにて使用されるセルラーネットワーク基地局若しくはアクセスポイント、又は、移動局と通信する何らかのタイプの無線送信器／受信器を意味し得る。用語“基地局”はまた、例えば基地局コントローラ又は無線ネットワークコントローラなど、付随するコントローラを包含し得る。用語“基地局”はまた、フェムト基地局若しくはアクセスポイント、マイクロ基地局若しくはアクセスポイント、又はピコ基地局若しくはアクセスポイントをも表すことが意図される。“移動局”は、電話送受信器、可搬式コンピュータ、携帯情報端末（ＰＤＡ）、又は例えば健康モニタ及び発作アラームなどの埋込式装置を表し得る。
【００２４】
図１に示すように、ＥＵＴＲＡ移動通信ネットワーク１００において、移動局（ＭＳ）１０８はＥＵＴＲＡ無線アクセスネットワーク１０２にワイヤレス接続している。そして、ＥＵＴＲＡアクセスネットワーク１０２は、サービングゲートウェイ１１０及びモビリティ管理エンティティ（mobility  management  entity；ＭＭＥ）１１２を含む様々な要素に接続されている。ＭＭＥ１１２はＥＵＴＲＡアクセスネットワーク１０２用の制御ノードである。例えば、ＭＭＥ１１２はアイドリングモード移動局追跡及び呼び出し（ページング）手順を担う。ＭＭＥ１１２はまた、当初接続時及びハンドオーバ時に移動局のためのサービングゲートウェイを選択することを担う。ＭＭＥ１１２はまた、移動局のユーザを認証することを担う。
【００２５】
サービングゲートウェイ１１０はベアラ（bearer）データパケットをルーティングする。サービングゲートウェイ１１０はまた、異なるアクセスネットワーク間でのハンドオーバ中にユーザプレーンのモビリティアンカーとして機能する。サービングゲートウェイ１１０はまた、移動局１０８とパケットデータネットワーク１１６（例えば、インターネット、様々なサービスを提供するネットワークなど）との間の接続を提供するパケットデータネットワーク（ＰＤＮ）ゲートウェイ１１４に接続されている。
【００２６】
ＨＲＰＤ移動通信ネットワーク１０１において、移動局１１８がＨＲＰＤアクセスネットワーク１０４とワイヤレス接続している。そして、ＨＲＰＤアクセスネットワーク１０４はパケットデータサービングノード（ＰＤＳＮ）１２０に接続され、ＰＤＳＮ１２０がパケットデータネットワーク１１６に接続されている。
【００２７】
また、ＨＲＰＤネットワーク１０１とＥＵＴＲＡネットワーク１００との間でのインターワークを可能にするため、移動局１２２がワイヤレス接続しているｅＨＲＰＤアクセスネットワーク１０６が設けられている。そして、ｅＨＲＰＤアクセスネットワーク１０６はＨＲＰＤサービングゲートウェイ（ＨＳＧＷ）１２４に接続されている。ＨＳＧＷ１２４は、ｅＨＲＰＤアクセスネットワーク１０６からのｅＨＲＰＤアクセスネットワークインタフェースをターミネートするエンティティである。ＨＳＧＷ１２４は、移動局を送信元とする、あるいは移動局を宛先とするパケットデータトラフィックをルーティングする。ＨＳＧＷ１２４は、ＥＵＴＲＡネットワーク１００との移動局のインターワークを提供する。インターワーク機能は、移動性のサポート、ポリシーの制御及び指示、アクセス承認、及びローミングなどを含む。ＨＳＧＷ１２４は、ＥＵＴＲＡネットワーク１００とｅＨＲＰＤアクセスネットワーク１０６との間での、シームレスな、技術間のモビリティ移管を支援する。
【００２８】
ＥＵＴＲＡ、ＨＲＰＤ及びｅＨＲＰＤ（及びその他）規格を参照していることは、現行規格とともに、時間とともに進化していく規格を参照することを意図している。ＥＵＴＲＡ、ＨＲＰＤ若しくはｅＨＲＰＤ（又はその他の規格）から進化した将来の規格は異なる名称で呼ばれることになると考えられる。“ＥＵＴＲＡ”、“ＨＲＰＤ”若しくは“ｅＨＲＰＤ”（又はその他の規格）への言及は、そのような今後の進化した規格にも及ぶものである。また、上述のように、技術又は機構は、他の種類の無線プロトコルを採用するシステムにも適用可能である。
【００２９】
図２は、一部の実施形態に従ったプロセスのメッセージフロー図である。アクセスネットワーク（例えば、ＨＲＰＤアクセスネットワーク）が移動局にQuickConfigメッセージを送信する（２０２）。QuickConfigメッセージは、上述のようなコンテンツを含むことができる。移動局が高電力状態にあるとき、移動局はQuickConfigメッセージ内の情報を用いて（２０４）、アクセスネットワークによって送信される（２０６）OtherRATNeighborListメッセージを受信する。
【００３０】
電池の電力を節約するため、移動局は、所定の１つ以上の基準が満たされる場合に、低電力状態に入ることができる（２０８）。例えば、全てのオーバーヘッドパラメータが最新のものである場合、移動局は低電力状態に入ることができる。オーバーヘッドパラメータが最新でない場合、移動局は、セクタ特定オーバーヘッド情報を移動局に伝達するために使用されるオーバーヘッドパラメータメッセージ（例えば、SectorParametersメッセージ）を受信するために、高電力状態に留まることになる。
【００３１】
低電力状態において、隣接セル情報が最新でないと移動局が決定した場合、移動局は低電力状態から高電力状態へと遷移する（２１０）。低電力状態から高電力状態への遷移のタイミングは、次のOtherRATNeighborListメッセージがいつ送信されるかに関する移動局による決定に基づき得る。移動局はこの決定を、例えば、QuickConfigメッセージに含まれるタイミングフィールドに基づいて行うことができる。移動局は、次のOtherRATNeighborListメッセージの受信が予期されるときに比較的近い（所定の時間範囲内の）時点で、低電力状態から高電力状態に移る。次のOtherRATNeighborListメッセージを受信する直前に移動局を低電力状態から高電力状態に遷移させることにより、移動局が過度に早く高電力状態に移ることにならないので、電力節減が促進される。
【００３２】
一部の実施形態に従った技術又は機構を用いることにより、移動局は、当該移動局が第１の無線アクセス技術のアクセスネットワークに接続されているときに、異なる無線アクセス技術の隣接セルに関する情報を、より高信頼かつ効率的に取得することができる。移動局は、当該移動局が一層効率的なハンドオフ又はセル選択を実行することができるように他の無線アクセス技術のセルに関する情報を取得可能なままで、低減電力状態に入って電力節減を達成することができる。
【００３３】
図３は、移動局（例えば、図１の移動局１０８、１１８若しくは１２２）又は基地局（例えば、図１のｅＮｏｄｅＢ、ＨＲＰＤ基地局若しくはｅＨＲＰＤ基地局）の何れともし得る無線局３００のブロック図である。無線局３００は、記憶媒体３０４に接続されたプロセッサ（又は複数のプロセッサ）３０２を含んでいる。機械読み取り可能命令３０６をプロセッサ３０２上で実行することができ、それにより、例えば図２又は３に示したタスクなど、無線局３００に関するそれぞれのタスクが実行される。無線局３００はまた、例えば無線周波数（ＲＦ）リンクなどの無線リンク上で通信を行うためのインタフェース３０８を含んでいる。
【００３４】
機械読み取り可能命令３０６は、プロセッサ３０２上での実行のためにロードされる。プロセッサは、マイクロプロセッサ、マイクロコントローラ、プロセッサモジュール若しくはサブシステム、プログラム可能な集積回路、プログラマブル・ゲート・アレイ、又はその他の制御装置若しくは計算装置を含み得る。
【００３５】
データ及び命令が、１つ以上のコンピュータ読み取り可能記憶媒体又は機械読み取り可能記憶媒体として実現された記憶装置に格納される。記憶媒体は様々な形態のメモリを含む。ここで、様々な形態のメモリは、ダイナミックあるいはスタティックなランダムアクセスメモリ（ＤＲＡＭ若しくはＳＲＡＭ）、消去・プログラム可能読み出し専用メモリ（ＥＰＲＯＭ）、電気的消去・プログラム可能読み出し専用メモリ（ＥＥＰＲＯＭ）及びフラッシュメモリなどの半導体メモリ；固定ディスク、フロッピーディスク（登録商標）及びリムーバブルディスクなどの磁気ディスク；テープを含むその他の磁気媒体；コンパクトディスク（ＣＤ）若しくはデジタルビデオディスク（ＤＶＤ）などの光媒体；又はその他の種類の記憶装置を含む。なお、上述の命令は、１つのコンピュータ読み取り可能或いは機械読み取り可能な記憶媒体で提供されてもよいし、あるいは代替的に、複数のノードを有し得る大型システム内に分散された複数のコンピュータ読み取り可能或いは機械読み取り可能な記憶媒体で提供されてもよい。このような１つ又は複数のコンピュータ読み取り可能或いは機械読み取り可能な記憶媒体は、物品（又は製品）の一部であると見なされる。物品又は製品は、製造された単一の要素又は複数の要素を表し得る。
【００３６】
以上の説明では、ここで開示する主題の理解を提供するため、数多くの詳細事項を説明した。しかしながら、実現形態はこれらの詳細事項の一部又は全てを用いずして実施されてもよい。他の実現形態は、上述の詳細事項からの変更及び変形を含み得る。添付の請求項はそのような変更及び変形に及ぶものである。
【図１】
2013502168.tif 000003
【図２】
2013502168.tif 000004
【図３】
2013502168.tif 000005
【国際調査報告】
2013502168.tif 000006
2013502168.tif 000007